(57)【特許請求の範囲】
【請求項１】
変圧器と、該変圧器のアース線と、第１の開口部を備えた開閉可能な主扉および該第１の開口部に設置された開閉可能な副扉を有し前記変圧器を格納された筺体と、を有するキュービクル式受電設備において、
前記副扉は前記主扉の上部に設けられ、
前記主扉または前記副扉は透明の窓を有し、
前記透明の窓の内側には、電圧計と、電流計と、電力計とが配置され、
前記筺体内において前記副扉に対応した位置には、前記アース線が敷設され、さらに、第２種電流測定個所が配置され、
前記副扉に対応した位置には、電圧測定相切換スイッチと、電流測定相切換えスイッチとがさらに配置され、
前記副扉の開閉状態を検知する第１の検知手段と、
前記第１の検知手段が前記副扉が開かれたことを検知した場合には点灯し、前記副扉が閉じられたことを検知した場合には消灯する第１の照明器と、
前記筺体近傍における人間の存在を検知する第２の検知手段と、
前記第２の検知手段が人の存在を検知した場合には点灯し、前記人の存在を検知できなくなった場合には消灯する第２の照明器と、
前記主扉の開閉状態を検知する第３の検知手段と、
前記第３の検知手段が前記主扉が開いていることを検知した場合にはその旨を報知する報知手段と、を有すること
を特徴とするキュービクル式受電設備。
【発明の詳細な説明】
【０００１】
【発明の属する技術分野】
本発明は、キュービクル式受電設備に関し、特に、検針作業および点検作業が安全に実施できる構造のキュービクル式受電設備に関する。
【０００２】
【従来の技術】
従来のキュービクル式受電設備を図７を用いて説明する。
【０００３】
キュービクル筺体２０は、各種配電設備を収容するためのものであり、その全体形状は縦長の箱状である。キュービクル筺体２０の前面壁（前扉１）は開閉可能になっており、内部に収容された配電機器への各種作業はこの前扉１を開いて行うようになっている。前扉１の上部領域には、内部機器の検針を行うための窓３が設けられている。虫などの侵入を防ぐために、当然ながら、この窓３にはガラス等の透明な部材（例えば、ガラス）がはめ込まれている。
【０００４】
また、不用意に開かれてしまうことのないように、前扉１には錠２が設けられている。
【０００５】
キュービクル筺体２０内には、その下部に変圧器４および接地端子５が設置されている。第２種設置電流測定箇所６は、両者を繋ぐ配線の途中に設定されている。
【０００６】
また、変圧器４などの上方には電圧計７、電流計８、電力量計１９が設置されている。これらは、窓３に対応した位置に配置されており、前扉１を開かなくても窓３からその計器を読みとることができるようにされている。
【０００７】
【発明が解決しようとする課題】
従来のキュービクル式受電設備では、電圧計７等の読み取りは窓３を通じて行うことができる。しかし、一般に、キュービクル式高圧受電設備では、電圧計、電流計等の指示計器や電圧および電流の各相計測のための相切換スイッチは、キュービクル内部に配置されていた。そのため検針や点検の際に各相の電圧、電流を計測するには、結局、前扉１を開いて切換スイッチを操作せざるを得なかった。また、変圧器の第２種接地電流を測定する場合も扉を開けて測定しなければならなかった。さらに、キュービクル筺体２０の内部照明のスイッチも該筺体内に設置されていた。夜間や暗い場所に設置されたキュービクルについて検針および点検を行う場合には、前扉１を開いて手探りで内部照明をスイッチを操作しなければならなかった。
【０００８】
以上述べたとおり、従来のキュービクル式受電設備では、検針および点検作業において前扉１を開く必要があった。そのため、内部の高圧の充電部に触れる危険性が高かった。また、作業時、キュービクル筺体７内に雨や雪等が侵入し短絡、地絡等の事故が発生する危険性が高かった。ネコ、ネズミ等の小動物や昆虫等が入り込んだりする危険性が高かった。
【０００９】
本発明は、安全に検針・点検作業を可能にしたキュービクル式受電設備を提供することを目的とする。
【００１０】
【課題を解決するための手段】
前記課題は以下の事項を実施することにより解決される。
【００１１】
（１）キュービクル筐体に副扉を設け、これに対応した位置に検針作業に必要な操作器具と測定箇所を集約して配置する。主扉を開かなくても、副扉を開けるだけで作業が行えるようにする。
【００１２】
（２）扉を開けている場合には、報知手段によってこれを報知する（例えば、警報ブザを鳴動させる）。この場合、報知手段への電力供給を、主遮断装置等の２次側からから行えば、通電状態にある場合のみ報知がなされる。従って、作業者により効果的に注意を促す。
【００１３】
（３）扉が開かれたこと、また、人の存在を検知して、電圧計、電流計等の測定器、副扉内の操作部を照光する照明灯を点灯させる。これにより、夜間等においても検針・点検作業が行うことができる。
【００１４】
（４）主扉と副扉の鍵を異なったものにすることにより、誤って扉を開けることを防止できる。
【００１５】
本発明の構成をより具体的に述べれば以下の通りである。
【００１６】
本発明は上記目的を達成するためになされたもので、第１の態様としては、変圧器と、上記変圧器のアース線と、第１の開口部を備えた開閉可能な主扉および該第１の開口部に設置された開閉可能な副扉を備え上記変圧器を格納された筺体と、を有し、上記アース線は、上記筺体内において上記副扉に対応した位置に敷設されていること、を特徴とするキュービクル式受電設備が提供される。このようにすれば、副扉を開いて接地電流を測定できる。主扉を開く必要がないため、測定の際の安全性等が高い。
【００１７】
上記主扉または上記副扉は、少なくともその一部が透明に構成されており、上記変圧器の通電状態を測定するための上記筺体内において上記副扉に対応した位置に設置された測定器と、上記測定器の設定を変更するための上記筺体内において上記透明に構成された部分に対応した位置に設置された操作器と、をさらに備えてもよい。このようにすれば、扉を開けなくても、透明に構成された部分を通じて測定器を読みとることができる。また、副扉を開くだけで測定器の設定を変えることができる。
【００１８】
上記副扉の開閉状態を検知する第１の検知手段と、上記第１の検知手段が上記副扉が開かれたことを検知した場合には点灯し、上記副扉が閉じられたことを検知した場合には消灯する照明器と、を有する事が好ましい。このようにすれば副扉を開けただけで、照明器が点灯するため便利である。
【００１９】
上記筺体近傍における人間の存在を検知する第２の検知手段と、上記第２の検知手段が人の存在を検知した場合には点灯し、上記人の存在を検知できなくなった場合には消灯する照明器と、を有することが好ましい。このようにすれば、照明器を操作する必要がなくなり便利である。
【００２０】
上記主扉および上記副扉は、それぞれが鍵の異なる錠を有することが好ましい。このようにすれば、誤って主扉を開いてしまうことはない。
【００２１】
本発明の第２の態様としては、変圧器と、開閉可能な扉を備え上記変圧器の格納された筺体と、上記扉の開閉状態を検知する第３の検知手段と、上記検知手段が上記扉が開いていることを検知した場合にはその旨を報知する報知手段とを備えることを特徴とするキュービクル式受電設備が提供される。このようにすれば、作業者に注意を喚起できる。
【００２２】
上記報知手段は、上記変圧器への通電を遮断する主遮断装置の二次側、または、主遮断装置の一次側に配置された断路器の二次側、から供給される電力によって作動していることが好ましい。このようにすれば、単に扉を開いているか否かだけではなく、その時の通電の有無をも報知手段による報知の有無によって知らせることができる。従って、作業者に注意を喚起して作業時の安全性を高めることができる。
【００２３】
【発明の実施の形態】
以下、本発明の実施形態を図面を用いて説明する。
【００２４】
本発明の第１の実施形態を図１、図２を用いて説明する。
【００２５】
本実施形態では前扉１に小扉９を設け、ここに窓３を設置している。
【００２６】
キュービクル筺体２０は、各種配電設備を収容するためのものであり、その全体形状は縦長の箱状である。キュービクル筺体２０の前面壁（前扉１）は開閉可能になっており、内部に収容された配電機器への各種作業はこの前扉１を開いて行うようになっている。前扉１の上部領域には、窓３を備えた小扉９が設けられている。虫などの侵入を防ぐために、当然ながら、この窓３にはガラス等の透明な部材が取り付けられている。
【００２７】
変圧器４等には高電圧が加わっており危険である。そのため、不用意に前扉１が開かれてしまうことのないように、前扉１には前扉用錠２が設けられている。同様に、小扉９にも小扉用錠１０が設けられている。これらの鍵を異なったものとしておくことで、検針作業者が誤って前扉１を開けてしまうのを防ぐことができる。
【００２８】
キュービクル筺体２０内の下部には、変圧器４および接地端子５が設置されている。第２種設置電流測定箇所６は、両者を繋ぐ配線の途中に設定されている。
【００２９】
変圧器４の上方には電圧計７、電流計８、電力量計１９、内部機器の測定相の切換スイッチ１４が設置されている。これらは、小扉９および窓３に対応した位置に配置されている。従って、前扉１、小扉９を開かなくても窓３からその計器を読みとることができるようにされている（図２参照）。また、小扉９を開けることで内部の電圧計７、電流計８の測定相の切換が可能である。前扉１を開ける必要がないため、キュービクル内の充電部に触れる危険性がない。従って、検針作業時の安全性がより高い。
【００３０】
特許請求の範囲において言う“測定器”とは、本実施形態における電圧計７等に相当する。“操作器”とは、測定相を変更するための切換スイッチ１４に相当する。“筺体”とは、キュービクル筺体２０に相当する。“主扉”とは、前扉１に相当する。“副扉”とは、小扉９に相当する。“第１の開口部”とは、小扉９によって開閉される開口部を指す。”透明に構成された部分“とは、窓３に相当する。
【００３１】
本発明の第２の実施形態を図３、図４を用いて説明する。
【００３２】
前述の第１の実施形態では、小扉９に窓３を設置していた。これに対し該第２の実施形態は、小扉９と、窓３とを別個に設置している。また、小扉９にドアスイッチを設けることで、小扉９の開閉に応じて照明灯１６´が点灯／消灯されるようになっている。
【００３３】
図４に示すとおり、キュービクル筺体２０内部のこの小扉９に対応した位置には、電圧測定相切換スイッチ１２、電流測定相切換スイッチ１３，第２種接地電流測定箇所６を配置している。
【００３４】
これにより、小扉９を開いて電圧，電流の測定相の切換が可能である。また、図４に示すとおりクランプメータＣをこの小扉９から差し入れることで第２種接地電流の測定が可能である。前扉１を開ける必要はない。従って、キュービクル内の充電部、変圧器に触れる危険性がなく、安全に検針作業を行うことができる。
【００３５】
照明灯１６´は、主として、電圧測定相切換スイッチ１２等の操作を助けるために設けられたものである。照明灯１６´は、小扉９が開かれたことをドアスイッチ１１が検知した場合に点灯されるようになっている。また、逆に、小扉９が閉じられたことを検知した場合には、消灯されるようになっている。
【００３６】
窓３から読み取り可能な位置に電圧計等を配置するのは他の実施形態と同様である。
【００３７】
以上述べた第１〜第２の実施形態では窓３、小扉９を前扉１に配置していた。しかし、これらの設置場所は前扉１には限定されない。これらはキュービル筐体２０のどの場所に設置しても構わない。但し、検針等の作業性の観点からは、窓３は、前扉１あるいは小扉９に設置することがより好ましい。他の壁面に電圧計等を設けていると、前扉１、小扉９をあけて作業をする際には、これらの測定器を読みとり難くなる可能性があるからである。同様に、小扉９は、前扉１に設置することがより好ましい。小扉９を他の壁面に設けていたのでは、前扉１をあけて作業をする際に測定相の切換スイッチを操作し難くなることが考えられるからである。
【００３８】
また、安全性を確保するためには小扉９は変圧器からある程度離れた位置に設けることが好ましい。また、小扉９は、開き戸である必要はなく、引き戸、シャッター等でも良い。
【００３９】
なお、小扉９，前扉１全体を透明に構成しても構わない。この場合には、扉全体を窓にしたことに相当する。
【００４０】
特許請求の範囲において言う、“透明に構成された部分”には、窓３が相当する。“操作器”とは、電圧測定相切換スイッチ１２等に相当する。“第１の検知手段”とは、ドアスイッチ１１に相当する。
【００４１】
本発明の第３の実施形態を図５を用いて説明する。
【００４２】
本実施形態は、前扉１が開かれると鳴動するブザ１８を設けたことを特徴とする。また、前扉１を開くことなく点灯／消灯の可能な内部照明１６を設けたことを特徴とする。
【００４３】
前扉１の開閉状態は、前扉１のヒンジ付近に設けたドアスイッチ１５によって検知するようになっている。そして、該ドアスイッチ１５の検出結果に応じてブザ１８への電力供給がＯＮ／ＯＦＦされるように構成する。また、このブザ１８に必要な電力は、図６に示すとおり、主電源遮断器の負荷側より供給する構成としている。これにより、キュービクルが通電状態にあるときに前扉１を開けると、ブザ１８が鳴動する。従って、作業者が誤って前扉１を開けた場合、また、やむを得ず前扉１を開けて検針作業を行う場合には、ブザ１８が鳴動して作業者に対し注意を促すことができる。また、主電源遮断器を切断すると、ブザ１８は鳴動しなくなる。従って、キュービクル内部の点検作業を行う場合等に、ブザ１８の音によってキュービクルの通電状態を確認できる。
【００４４】
前扉１以外の扉にも同様のドアスイッチおよびブザを設けてもよい。
【００４５】
キュービクル筺体２０には、該キュービクル筺体２０近傍における人の存在を検知するための接近センサ１７が設けられている。照明灯１６の点灯／消灯は、接近センサ１７の検出結果に応じて行う構成としている。これにより、作業者がキュービクル筺体２０に接近／離間しただけで、内部の照明灯１６が点灯／消灯される。従って、照明灯１６を点灯／消灯するために前扉１や小扉９を開ける必要はない。なお、図６には、本実施形態の接近センサ１７ではなく、上記第２の実施形態におけるドアスイッチ１１を描いている。
【００４６】
接近センサ１７は、キュービクル内に限らず、キュービクル筐体面に取付けても良い。接近センサ１７としては例えば、赤外線センサ、超音波センサを用いてもよい。なお、接近センサに変わって、タッチセンサ等を用いてもよい。この場合、タッチセンサは、キュービクル筺体外面に取り付ければ、扉を開くことなく照明灯１６の点灯／消灯を行うことができる。
【００４７】
なお、特許請求の範囲において言う“報知手段”とは、ブザ１８に相当する。“第３の検知手段”とは、本実施形態においては前扉１のドアスイッチ１５に相当する。“第２の検知手段”とは、接近センサ１７に相当する。
【００４８】
【発明の効果】
本発明のキュービクル式受電設備では、検針・点検作業の際に充電部に触れる危険性がなく安全である。照明、ブザー等によって、作業者に注意を喚起することができるため、安全性が高い。誤操作を防ぐことができるため、安全性が高い。
【図面の簡単な説明】
【図１】本発明の第１の実施形態であるキュービクル式受電設備の正面図である。
【図２】窓３を通じて見えるキュービクル内部の計器部を示す図である。
【図３】本発明の第２の実施形態であるキュービクル式受電設備の正面図である。
【図４】小扉９を通じて見える切換スイッチの様子を示す図である。
【図５】本発明の第３の実施形態であるキュービクル式受電設備の正面図である。
【図６】ブザー１８等に対する電力供給の経路を示す回路図である。
【図７】従来キュービクルの正面図である。
【符号の説明】
１…前扉、２…前扉錠、３…窓、４…変圧器、５…接地端子、
６…第２種接地電流測定箇所、７…電圧計、
８…電流計、９…小扉、１０…小扉錠、１１…小扉用ドアスイッチ、
１２…電圧測定相切換スイッチ、１３…電流測定相切換スイッチ、
１４…切換スイッチ、１５…前扉用ドアスイッチ、１６…照明灯、
１７…接近センサ、１８…ブザ、１９…電力量計、２０…キュービクル筺体、
２１…配線用遮断器、２２…電力需給用計器用変成器、２３…断路器、Ｃ…クランプメータ
【図１】
0003910227.tif 000002
【図２】
0003910227.tif 000003
【図３】
0003910227.tif 000004
【図４】
0003910227.tif 000005
【図５】
0003910227.tif 000006
【図６】
0003910227.tif 000007
【図７】
0003910227.tif 000008